(57)【要約】【課題】タブレット端末を立てた姿勢で安定させて支持すると共に、容易に取り付けや取り外しができるようにする。【解決手段】ホルダー１は、タブレット端末３を前面側で拘束した状態で支持する表板部１１と、表板部１１の背後に配置される背板部１２とを有する。表板部１１の上端部と背板部１２の上端部とは、可撓性を有する第１の接続片１３を介して一体に連結される。表板部１１の下端部と背板部１２の下端部とは、可撓性を有する第２の接続片を介して分離可能に連結される。タブレット端末３を支持したホルダー１は固定台に設置され、固定台に設けられた保持具により、背板部１２の両側部が支えられた状態で着脱可能に支持される。【選択図】図３
2015089696.tif 000002
【特許請求の範囲】
【請求項１】
板状のタブレット端末を支持するためのホルダーと、ホルダーを立てた姿勢で保持する固定台とから成り、前記ホルダーは、タブレット端末を前面側に拘束した状態で支持する表板部と、前記タブレット端末の表示面に対応する大きさの背板部とを有し、前記表板部の上端部と背板部の上端部との間は可撓性を有する第１の接続片を介して一体に連結され、前記表板部の下端部と背板部の下端部との間は可撓性を有する第２の接続片を介して分離可能に連結されており、前記固定台の前面には、前記ホルダーの背板部の両側部を支えることが可能な保持具が開閉可能に設けられて成るタブレット端末支持装置。
【請求項２】
前記第２の接続片は背板部の下端部に取り付けられており、第２の接続片と表板部との連結部分には相互に着脱が可能な止め部材が取り付けられている請求項１に記載されたタブレット端末支持装置。
【請求項３】
前記表板部は、前面側に前記タブレット端末の収容が可能な収容部を有し、前記収容部は、タブレット端末の表示面の外周に沿って一周する矩形状の枠体部と、前記枠体部のいずれか一辺と表板部の前面との間の間隙部分に形成されたタブレット端末の出し入れ口と、前記枠体部の他の辺と表板部の前面との間の間隙部分を塞ぐ襠部とで構成されている請求項１に記載されたタブレット端末支持装置。
【請求項４】
前記固定台は、前記ホルダーの背板部を前面上に支持する支持部と、左右一対の側壁部とを有し、側壁部の少なくとも一方は前記支持部に対して起伏可能に形成され、各側壁部の対向する面には、前記保持具を構成する止め部材が前記ホルダーの背板部の横幅より狭い間隔を隔てて内向きに突設されるとともに、前記支持部と各止め部材との間に前記ホルダーの背板部の両側縁が係合する溝が形成されている請求項１に記載されたタブレット端末支持装置。
【発明の詳細な説明】
【技術分野】
【０００１】
本発明は、タブレット端末を立てた姿勢で保持するためのタブレット端末支持装置に関する。
【背景技術】
【０００２】
従前より、列車の運転台の近傍には、走行する路線の時刻表を記した用紙が専用の保持装置により立てた姿勢で保持されている。乗務員は、適宜、時刻表に対して指さし確認をしながら運転を行うように義務づけられている（たとえば特許文献１を参照。）。
【先行技術文献】
【特許文献】
【０００３】
【特許文献１】実公平１−３８６１７号公報
【発明の概要】
【発明が解決しようとする課題】
【０００４】
運転台の近傍に時刻表を設置することは列車の走行に必須の義務規定となっているため、乗務員は常に担当予定の路線の時刻表を携行しているが、事故などの影響で予定外の路線の列車を担当しなければならない場合や、臨時の時刻表が必要になる場合もある。乗務員が担当する路線の時刻表を持ち合わせていない場合には、管理部門から停車中の駅へのＦＡＸ送信などの方法で時刻表を提供しなければならないため、手間がかかり、列車の発車が大幅に遅れるおそれがある。
【０００５】
そこで、各種路線の時刻表を電子データにして保存し、必要な時刻表のデータを呼び出してモニタに表示する方法をとれば、いずれの路線の乗務にも速やかに対応することができ、問題の解決が可能である。特に、タブレット端末を使用すれば、データの保存や表示をそれ一台で行うことができ、取り扱いも簡単である。また、仮に必要なデータが保存されていなかったとしても、通信によりデータを取得することができるという利点があり、上記問題の解決に適している。
【０００６】
タブレット端末に表示された時刻表を運転しながら確認できるようにするには、紙製の時刻表と同様に、タブレット端末を立てた姿勢で保持する必要がある。また、列車の走行による振動の影響などでタブレット端末が倒れないように工夫する必要がある。
【０００７】
しかし、タブレット端末を強固に固定してしまうと、取り外しが困難になる。タブレット端末を時刻表を表示する以外の目的に使用する可能性や、充電などの目的で外部機器に接続する必要性を考慮すると、タブレット端末は容易に取り外しできる状態で支持されるのが望ましい。
【０００８】
本発明は、上記の各問題に着目してなされたもので、タブレット端末を立てた姿勢で安定して保持すると共に、タブレット端末の取り付けや取り外しを容易に行うことができるタブレット端末支持装置を提供することを目的とする。
【課題を解決するための手段】
【０００９】
本発明によるタブレット端末支持装置は、板状のタブレット端末を支持するためのホルダーと、ホルダーを立てた姿勢で保持する固定台とから成る。ホルダーは、タブレット端末を前面側に拘束した状態で支持する表板部と、タブレット端末の表示面に対応する大きさの背板部とを有する。表板部の上端部と背板部の上端部との間は可撓性を有する第１の接続片を介して一体に連結され、表板部の下端部と背板部の下端部との間は可撓性を有する第２の接続片を介して分離可能に連結される。固定台の前面には、ホルダーの背板部の両側部を支えることが可能な保持具が開閉可能に設けられている。
【００１０】
上記の構成によれば、固定台の保持具を開いて、タブレット端末を支持するためのホルダーの背板部を固定台に位置合わせした後、保持具を閉じることによって、ホルダーの背板部の両側部が保持具により支えられた状態になり、ホルダーおよびホルダーに支持されるタブレット端末を立てた姿勢で固定することができる。
【００１１】
固定台の保持具を開いて背板部の両側部の保持を解除すれば、ホルダーをタブレット端末を支持した状態のまま取り出すことができる。第２の接続片による表板部の下端部と背板部の下端部との連結を解除し、背板部を前面側へ反転させれば、タブレット端末の表示面を背板部により覆うことができる。その後、背板部の下端部と表板部の下端部とを第２の接続片によって連結して、背板部がずれないようにし、タブレット端末を、ホルダーに支持された状態のまま持ち運ぶことができる。
【００１２】
上記のタブレット端末支持装置の一実施形態では、第２の接続片は背板部の下端部に取り付けられており、第２の接続片と表板部との連結部分に相互に着脱が可能な止め部材が取り付けられる。
【００１３】
上記の実施形態によれば、止め部材によって第２の接続片を表板部に容易に連結したり、取り外したりすることができる。
【００１４】
他の実施形態においては、前記表板部は、前面側にタブレット端末の収容が可能な収容部を有する。この収容部は、タブレット端末の表示面の外周に沿って一周する矩形状の枠体部と、枠体部のいずれか一辺と表板部の前面との間の間隙部分に形成されたタブレット端末の出し入れ口と、枠体部の他の辺と表板部の前面との間の間隙部分を塞ぐ襠部とで構成されている。
【００１５】
上記の実施形態によれば、タブレット端末は、背面が表板部の前面に支持されると共に、表示面の周縁部が枠体部により支持され、厚み部分が襠部により支持されるので、タブレット端末がホルダーから脱落することがない。出し入れ口より収容部に対してタブレット端末を容易に出し入れできるので、充電器などの機器と接続するためにタブレット端末を取り出す必要が生じた場合にも、容易に対応することができる。
【００１６】
他の実施形態において、前記固定台は、ホルダーの背板部を前面上に支持する支持部と、左右一対の側壁部とを有する。側壁部の少なくとも一方は支持部に対して起伏可能に形成される。また、各側壁部の対向する面には、保持具を構成する止め部材がホルダーの背板部の横幅より狭い間隔を隔てて内向きに突設されるとともに、支持部と各止め部材との間にホルダーの背板部の両側縁が係合する溝が形成されている。
【００１７】
上記の実施形態によれば、ホルダーの背板部が固定台の支持部により支持されると共に、背板部の両側縁が支持部と各止め部材との間に形成された溝に係合するので、ホルダーを容易にかつしっかりと保持することができる。また、側壁部を倒せば、背板部の拘束が解除されるので、ホルダーの取り外しも容易である。
【発明の効果】
【００１８】
本発明によれば、ホルダーを固定台の保持具に保持させることによって、タブレット端末を立てた姿勢で安定して支持することができる。また保持具の開閉という簡単な作業によってホルダーを固定台に取り付けたり、取り外したりすることができる。しかも、取り外し後は、背板部を前面側に反転させて表板部の前面に被せれば、タブレット端末の表示面が背板部により保護され、ホルダーに支持された状態のままタブレット端末を持ち運ぶことができ、利便性が高められる。
【図面の簡単な説明】
【００１９】
【図１】タブレット端末支持装置の外観を示す斜視図である。
【図２】固定台の外観を示す斜視図である。
【図３】立てた姿勢のホルダーの外観を示す斜視図である。
【図４】立てた姿勢のホルダーの左側面図である。
【図５】開かれた状態のホルダーの正面図および背面図である。
【図６】第２の接続片の詳細な構成を示す正面図である。
【図７】ホルダーが固定台に保持された状態を示す平面図である。
【図８】紙製の時刻表が固定台に保持された状態を示す平面図である。
【図９】固定台から取り外されたホルダーがタブレット端末の保護ケースとして使用される状態を示す正面図である。
【図１０】固定台から取り外されたホルダーがタブレット端末の保護ケースとして使用される状態を示す背面図である。
【発明を実施するための形態】
【００２０】
図１は、本発明が適用されたタブレット端末支持装置１０の外観を示している。
このタブレット端末支持装置１０は、列車の運転台の近傍にタブレット端末３を立てた状態で支持するためのもので、タブレット端末３を支持するホルダー１と、ホルダー１を立てた姿勢で固定するスチール製の固定台２とで構成される。
【００２１】
固定台２は、背面に設けられた取付金具（図示せず。）によって、運転席の斜め前方の窓枠または壁面に固定される。この実施例の固定台２は、従来の紙製の時刻表４（図８を参照。）を保持することも可能であり、図２に示すように、時刻表４の紙面を照らす照明装置２５が設けられている。
【００２２】
図２は、ホルダー１が取り外された状態の固定台２を示している。
この固定台２は、ホルダー１を前面で支持するための支持部２３を有しており、支持部２３の両側には側壁部２１，２２が、下部には底板２４が、それぞれ設けられている。
【００２３】
一方の側壁部２１は、内面の一部が開放されたケース体により構成され、ケース体内には、上記の照明装置２５を構成する２個のＬＥＤ基板２６，２６が上下に固定されている。各ＬＥＤ基板２６には、長さ方向に沿って並ぶ複数のＬＥＤ（図示せず。）がケース体の開放部分に向けて搭載されている。なお、各ＬＥＤは、背面側の電源ボックス２００から電源の供給を受けて点灯する。
【００２４】
他方の側壁部２２は帯板材により構成され、上下方向の３箇所に配置された蝶番２７、２７，２７を介して支持部２３に起伏可能に取り付けられている。各蝶番２７には図示しないバネが組み込まれており、側壁部２２はバネによって支持部２３の前面に起立するように付勢される。側壁部２２を内側から外側へ押すと、側壁部２２が倒れて開放され、その押圧力が解除されると、側壁部２２はバネの復元力によって元の起立姿勢に復帰する。
【００２５】
左右の側壁部２１，２２は、ホルダー１の後述する背板部１２の横幅に応じた距離を隔てて対向しており、対向する面には、それぞれ止め部材２８，２８が内向きに突設されている。この実施例では、止め部材２８として上下方向に長い帯板状のものを用いているが、これに限らず、例えば、複数個の爪状の板材を上下方向に並べたようなものであってもよい。各止め部材２８，２８は、ホルダー１の背板部１２の横幅より狭い間隔を隔てて対向している。支持部２３の前面と各止め部材２８，２８との間には、ホルダー１の背板部１２の両側縁が係合する溝２０が形成される。
【００２６】
支持部２３の前面の上部、下部、および高さ中央部には、ホルダー１の背板部１２を押圧状態で支持するための板バネ２９が、取り付けられている。
【００２７】
図３および図４は、上記固定台２に組み付けられるために組み立てられた状態のホルダー１の外観を、図５（１）（２）は、固定台２より取り外されて開かれた状態のホルダー１の外観を、それぞれ示している。
【００２８】
この実施例のホルダー１は合成皮革製であって、タブレット端末３に応じた大きさを有する矩形状の表板部１１と、表板部１１の背後に位置する矩形状の背板部１２と、表板部１１の上端部と背板部１２の上端部とを連結する第１の接続片１３と、表板部１１の下端部と背板部１２の下端部とを連結する第２の接続片１４とを備えている。表板部１１の前面側には、４枚のシート状の襠部１６ａ，１６ｂ，１６ｃ，１６ｄを介して矩形状の枠体部１５が設けられ、この枠体部１５と表板部１１との間の空間部分がタブレット端末３の収容が可能な収容部となっている。
【００２９】
なお、ホルダー１を構成する各パーツは、表革と人工スエードによる裏革とを縫い合わせたものであり、図３〜６では、表革の部分のみ、端縁部の縫い目を破線により表している。表革と裏革との間には、必要に応じて芯材が設けられ、その芯材の有無や芯材の種類によって各パーツの固さが調整されている。
【００３０】
表板部１１はタブレット端末３の背面全体を支持することが可能な大きさに形成されている。枠体部１５は、表板部１１と同じ外形であり、タブレット端末の表示面を視認し得るように表示面の外周に沿って一周し、その内側が矩形の窓となっている。背板部１２は、表板部１１や枠板部１５とほぼ同じ縦幅であるが、横幅は、表板部１１より短く、枠体部１５の窓の開口幅より長い。
【００３１】
表板部１１および背板部１２には容易に変形しないように芯材が設けられているが、第１の接続片１３は芯材を含まず柔軟であり、いずれの箇所でも自由に撓ませることができる。この接続片１３の横幅は背板部１２の横幅より短く、さらに、固定台２の止め部材２８，２８間の距離より短い。また接続片１３は、固定台２の止め部材２８から固定台２の前面開口までの距離に対応する長さを有し、両端がそれぞれ表板部１１の上端縁および背板部１２の上端縁に一体に固着されている。
【００３２】
第２の接続片１４も、横幅が固定台２の止め部材２８，２８間の距離より短く、図６に示すように、第２の接続片１４の一端が、背板部１２の下端縁に一体に固着されている。この接続片１４には、一対の芯材１４３，１４４が設けられており、背板部１２の下端縁と芯材１４３との間、および芯材１４３と芯材１４４との間に、前後に屈曲可能なように微小な幅の隙間による屈曲部１４１，１４２が形成されている。
【００３３】
第２の接続片１４の表面の芯材１４４に対応する箇所には、図５（１）に示すように、面ファスナ１０１が固着されている。
【００３４】
前記の各襠部１６ａ〜１６ｄは、横幅が枠体部１５や表板部１１の対応する辺よりも短く、各辺の幅中央部に位置決めされている。上下の各辺の襠部１６ａ，１６ｂおよび左右の一方の襠部１６ｃは、表板部１１の前面と枠体部１５との間にタブレット端末３の厚みに応じた空間を形成するのに必要な長さを有し、表板部１１と枠板部１５との双方に一体に固着される。一方、左右の他方の襠部１６ｄは、出し入れ口を開閉する蓋を兼ねており、表板部１１の背面側に回り込むことが可能な長さに設定され、図５（１）（２）に示すように、一端が枠体部１５に一体に固着され、他端には、面ファスナ１０２が設けられている。
【００３５】
図５（２）に示すように、表板部１１の背面には、下端部に前記第２の接続片１４の面ファスナ１０１を止めるための面ファスナ１０３が、側縁部に襠部１６ｄの面ファスナ１０２を止めるための面ファスナ１０４が、それぞれ取り付けられている。
【００３６】
襠部１６ｄの面ファスナ１０２と表板部１１の面ファスナ１０４とをかみ合わせて連結することによって、枠体部１５の四辺の全てが表板部１１に連結された状態になり、表板部１１の前面側にタブレット端末３の収容および保持が可能な閉じられた収容部が形成される。この収容部にタブレット端末３を収容するとき、表板部１１の前面によりタブレット端末３の背面が支持されると共に、枠体部１５によってタブレット端末３の表示面の周縁部が支持され、各襠部１６ａ〜１６ｄによってタブレット端末３の厚み部分が支持される。襠部１６ｄの面ファスナ１０２と表板部１１の面ファスナ１０４との連結を外せば、その開放部分の表板部１１と枠体部１５との間がタブレット端末３の出し入れ口となる。
【００３７】
上記した構成のホルダー１にタブレット端末３を保持させて固定台２に組み付けるには、まず、ホルダー１の襠部１６ｄの面ファスナ１０２と表板部１１の面ファスナ１０４との連結を外し、表板部１１と枠体部１５との間に形成された出し入れ口から、表示面を前方に向けた状態のタブレット端末３を表板部１１と枠体部１５との間の空間に挿入する。次いで、各面ファスナ１０２，１０４をかみ合わせて連結すると、タブレット端末３は、表板部１１、枠体部１５、および襠部１６ａ〜１６ｄにより形成された収容部内に拘束された状態で支持される。
【００３８】
つぎに、図３，４に示すように、第１の接続片１３を撓ませ、背板部１２を、表板部１１の背後に位置させ、第２の接続片１４を各屈曲部１４１，１４２の位置で屈曲させて、面ファスナ１０１を表板部１１の背面の面ファスナ１０３にかみ合わせて連結する。
【００３９】
上記のように組み立てられたホルダー１を固定台２に取り付けるには、図７の一点鎖線で示すように、固定台２の一方の側壁部２２を外側へ倒して開放した後、ホルダー１の背板部１２を固定台２の支持部２３の前面に位置させ、背板部１２の一側縁部を固定台２の側壁部２１の止め部材２８と支持部２３との間の溝２０に挿入する。この位置決め状態を維持して側壁部２２を起立させると、側壁部２２の止め部材２８と支持部２３との間の溝２０に背板部１２の他方の側縁部が係入された状態になる。
【００４０】
この状態では、固定台２の支持部２３に設けられた板バネ２９を介してホルダー１の背板部１２が支持部２３の前面上に支持されると共に、各溝２０，２０に入った背板部１２の両側縁部が、板バネ２９によって止め部材２８，２８に押し付けられて支持される。これにより、背板部１２および接続片１４が固定台２の底板２４上にしっかりと支持される。
【００４１】
この実施例では、ホルダー１の表板部１１の横幅が固定台２の側壁部２１，２２間の開口幅より大きく、また、第１の接続片１３の長さを固定台２の止め部材２８から固定台２の前面開口までの距離に対応させているので、表板部１１は側壁部２１，２２間の開口面上に位置する。このとき、表板部１１の上端部は各側壁部２１，２２の前面に支持され、表板部１１の下端部は、第２の接続片１４の芯材１４３を含む部分によって背板部１２との距離を保って底板２４上に支持されており、表板部１１のずれや揺動を防ぐことができる。
【００４２】
上記のとおり、ホルダー１の背板部１２が固定台２にしっかりと固定され、タブレット端末３を支持する表板部１１も動かない状態で保持されるので、走行時の列車の振動が固定台２にまで伝搬しても、タブレット端末３が揺れたり位置ずれしたりすることがなく、、タブレット端末３は立てた姿勢で安定して支持される。
【００４３】
なお、上記の固定台２に、ホルダー１に代えて紙製の時刻表４を取り付ける場合には、図８に示すように、時刻表４の左右の側縁部を固定台２の止め部材２８，２８と支持部２３との間の溝２０，２０に係入させる。これにより、背後の板バネ２９により時刻表４は支持部２３の前面に押されて支持されると共に、時刻表４の両側縁が各止め部材２８，２８に押し付けられて支持され、時刻表４は立てた姿勢で保持される。
【００４４】
上記のホルダー１を固定台２から取り外す場合には、固定台２の側壁部２２を外側に倒してホルダー１の背板部１２の拘束を解除することにより、固定台２の支持部２３の前面からホルダ１を取り出すことができる。
【００４５】
つぎに、取り外したホルダー１の第２の接続片１４と表板部１１との連結を外し、背板部１２を前面側へ反転させて背板部１２を枠体部１５上に重ねた後、第２の接続片１４を表板部１１の背面側にまわして、第２の接続片１４の面ファスナ１０１を表板部１１の背面の面ファスナ１０３にかみあわせて連結する。これにより図９および図１０に示すように、表板部１１と背板部１２との間に枠体部１５およびタブレット端末３が挟まれた状態になり、枠体部１５の窓内に露出していたタブレット端末３の表示面が背板部１２により覆われ、背板部１２の下端部と表板部１１の下端部とが接続片１４を介して連結される。よって、タブレット端末３はホルダー１に支持された状態のまま保護され、タブレット端末３の保管や持ち歩きのために別の保護ケースを用意する必要がない。
【００４６】
表板部１１と枠体部１５と４つの襠部１６ａ〜１６ｄとにより形成される収容部の空間に若干の余裕をもたせておけば、規格が異なる複数種のタブレット端末３が使用される場合でも、いずれの規格にも対応させることができる。
【００４７】
なお、この発明は上記の実施例に限られるものではなく、たとえば、以下のような変形例を採択することができる。
タブレット端末３の規格が統一されている場合には、枠体部１５や襠部１６ａ〜１６ｄを設けることに代えて、表板部１１の周縁部の適所（たとえば四隅）に板バネ状の取付具を配備し、これらの取付具と表板部１１との間にタブレット端末３を挟み込んで固定する構成のものであってもよい。また、タブレット端末３の背面の適所にネジ軸部を突設し、一方、表板部１１のネジ軸部に対応する箇所に孔部を設け、ネジ軸部を孔部に挿入してナットにより固定することもできる。これらの取付方法によれば、タブレット端末３の厚み部分が露出した状態になるので、タブレット端末３をホルダー２に支持した状態のままで外部機器に接続することが容易になる。
【００４８】
また、タブレット端末３のサイズが小さい場合には、表板部１１の横幅を背板部１２に合わせて、表板部１１も固定台２の側壁部２１，２２間に位置させ、止め部材２８，２８の前面に表板部１１を支持してもよい。
【００４９】
なお、ホルダー１の材料は、合成皮革に限らず、布や合成樹脂など、タブレット端末３の回路の動作を阻害するおそれがない材料を、適宜選択する。
また、第２の接続片１４と表板部１１の背面とを連結するのに、面ファスナ１０１，１０３に代えて、たとえばスナップを用いることもできる。枠体部１５の連結片１６ｄと表板部１１とを連結する部材も同様に、面ファスナ１０２，１０４に限定されるものではない。さらに、上記実施例の固定台２は壁や窓枠に固定されるものとしたが、これに限らず、水平面上に定置されるスタンド式のものであってもよい。
【００５０】
なお、タブレット端末支持装置１０により支持されるタブレット端末３は、時刻表のデータを表示する用途に限らず、必要に応じて運行マニュアルや管理部門からのメッセージなどを表示する用途に使用することもできる。
また、タブレット端末支持装置１０は、列車の運転室への導入に限らず、タブレット端末３の表示画面を確認しながら作業をする必要がある現場（たとえば工場、調理場、店舗のレジなど）にも導入することができ、また、一般家庭で画像などを鑑賞する用途にも利用することができる。
【００５１】
ところで、タブレット端末支持装置１０により支持されたタブレット端末３が長時間使用される場合には、支持された状態のままでタブレット端末３に電源を供給できるようにするのが望ましい。この課題を解決するのに好適な方法として、タブレット端末支持装置１０にワイヤレス給電の機能を設けることも可能である。
たとえば、ホルダー１に対しては、背板部１２のタブレット端末３の内部のアンテナに対応する箇所に穴をあけると共に、固定台２の支持部２３に対して、背板部１２が支持部２３に対向したときに穴に対向する位置に電磁誘導式のワイヤレス給電器を取り付けると、タブレット端末３のアンテナと給電器との間には表板部１１が位置するだけであるので、給電用の電波がタブレット端末３に届きやすくなる。よって、ホルダ１および固定台２により支持されたタブレット端末３に情報を表示しながら、非接触で電源を供給することができ、タブレット端末３の長時間の使用が可能になる。なお、上記の穴が蓋板などにより塞がれるような構成にしておけば、ホルダー１を固定台２から取り外して背板部１２を前面側に反転させた場合には、背板部１２によってタブレット端末の表示面の全体を覆うことができる。
【符号の説明】
【００５２】
１    ホルダー
２    固定台
３    タブレット端末
１０  タブレット端末支持装置
１１  表板部
１２  背板部
１３，１４  接続片
１５  枠体部
１６ａ〜１６ｄ  襠部
２０  溝
２１，２２  側壁部
２３  支持部
２８  止め部材
１０１，１０２，１０３，１０４  面ファスナ
【図１】
2015089696.tif 000003
【図２】
2015089696.tif 000004
【図３】
2015089696.tif 000005
【図４】
2015089696.tif 000006
【図５】
2015089696.tif 000007
【図６】
2015089696.tif 000008
【図７】
2015089696.tif 000009
【図８】
2015089696.tif 000010
【図９】
2015089696.tif 000011
【図１０】
2015089696.tif 000012